(57)【要約】【課題】ハンマー等によって打撃されたときに発生する音が低減された樹脂くさび７の提供。【解決手段】支柱２に固定された受け金具３の内部に、腕木材４に固定された係止金具５が嵌合している状態を、くさび効果によって保持するための樹脂くさび７であって、基材樹脂に多数の繊維が分散している繊維含有樹脂組成物から形成されており、上記係止金具５内に圧入されたときに上記支柱２を押圧する第一縁部１５と上記係止金具５を受け金具３に対して押圧する第二縁部１６とを有している。【選択図】図２
2011140769.tif 000002
【特許請求の範囲】
【請求項１】
第一の足場部材に固定された受け金具の内部に、第二の足場部材に固定された係止金具が嵌合している状態を、くさび効果によって保持する足場用の樹脂くさびであって、
基材樹脂に多数の繊維が分散している繊維含有樹脂組成物から形成されており、
上記係止金具内に圧入されたときに上記第一の足場部材を押圧する第一縁部と上記係止金具を受け金具に対して押圧する第二縁部とを有している、足場用の樹脂くさび。
【請求項２】
上記繊維の長さが１ｃｍ以上１０ｃｍ以下の範囲である請求項１に記載の足場用の樹脂くさび。
【請求項３】
上記繊維含有樹脂組成物の繊維の含有率が１５質量％以上７０％以下の範囲である請求項１又は２に記載の足場用の樹脂くさび。
【請求項４】
上記繊維含有樹脂組成物が粒子状潤滑剤を含んでいる請求項１から３のいずれかに記載の足場用の樹脂くさび。
【請求項５】
上記繊維含有樹脂組成物の粒子状潤滑剤の含有率が１質量％以上２０質量％以下の範囲である請求項４に記載の足場用の樹脂くさび。
【請求項６】
上記繊維が、無機繊維、有機繊維又はこれらの組み合わせからなり、
上記基材樹脂が、ポリエステル、ビニルエステル樹脂、エポキシ樹脂、ポリカーボネート及びＡＢＳ樹脂のうちの一又は二以上の組み合わせからなる請求項１から５のいずれかに記載の足場用の樹脂くさび。
【請求項７】
上記繊維がガラス繊維である請求項１から６のいずれかに記載の足場用の樹脂くさび。
【発明の詳細な説明】
【技術分野】
【０００１】
本発明は、建設現場等において足場の組み立て時に用いられる樹脂くさびに関する。
【背景技術】
【０００２】
建物の建設、補修等のときに、足場が組まれる。種々の足場がある。通常は、パイプ同士（縦パイプ、横パイプ）を連結することによって足場が形成される。この連結が意図せず解除されてしまうと危険である。くさびを用いて上記解除を阻止する足場の緊結装置が特開２００８−２８０７４２公報に開示されている。
【０００３】
特開２００８−２８０７４２公報に開示されている緊結装置は、縦パイプ（支柱ともいう）と横パイプ（腕木材ともいう）とを連結するための受け金具及び係止金具から構成されている。受け金具は、支柱の所定高さの外周に溶接によって固定されており、係止金具は、腕木材の端部に溶接によって固定されている。受け金具は、平面視がコ字状を呈し、且つ、下方に向けて断面形状が縮小しているいわゆる下すぼまりの枠体である。具体的には、正面視が矩形を呈し、側面視が台形を呈している。この台形側面は下底が上底よりも小さくされている。
【０００４】
係止金具は、受け金具の内部形状にほぼ相似する外形状を呈したくさび案内部材を有している。このくさび案内部材は、受け金具に上から嵌合しうるように構成されている。くさび案内部材は、平面視コ字状の枠体であり、その内部に上記くさびが上下動可能に収容されている。くさび案内部材の内部には、くさびの落下防止及び位置決めのためのくさび脱出阻止バーと板ばねとが装着されている。板ばねの下端には抜け止めピンが設けられている。この抜け止めピンは、くさび案内部材を受け金具に嵌合された状態でロックするためのものである。
【０００５】
くさびがくさび案内部材内に軽く挿入されたとき（緊結解除状態）には、くさび案内部材の上端からくさびの上部が突出している。この緊結解除状態では、くさびは、くさび脱出阻止バーと板ばねとによって挟持されることによって保持されている。くさびは、その上部を下方に打撃されることにより、支柱と係止金具の内面（ひいては受け金具の内面）とに強い押圧力を作用させる。いわゆるくさび効果である。このくさび効果によって生じる、係止金具と支柱との間の大きな摩擦力、及び、係止金具と受け金具との間の大きな摩擦力により、支柱と腕木材との緊結が達成される（緊結状態）。この緊結状態では、上記抜け止めピンが受け金具のピン受け入れ孔に係止することにより、係止金具が受け金具から上方へ脱出することが阻止される。
【０００６】
緊結状態では、くさび案内部材の下端及び受け金具の下端からくさびの下部が突出している。くさびは、その下部を上方に向けて打撃されることにより、上方に移動する。このとき、支柱とくさび案内部材の内面（ひいては受け金具の内面）とに対するくさびの押圧力が解除される。これと同時に、抜け止めピンのピン受け入れ孔への係止も解除される。
【先行技術文献】
【特許文献】
【０００７】
【特許文献１】特開２００８−２８０７４２公報
【発明の概要】
【発明が解決しようとする課題】
【０００８】
特開２００８−２８０７４２公報の緊結装置では、くさびが、足場を組むときには上からハンマーでたたかれ、足場を解体するときには下からハンマーでたたかれる。このくさびは鋼から形成されているので、ハンマーでたたかれると大きな金属音が発生する。これは、近隣にとって大きな騒音となるおそれがある。
【０００９】
本発明の目的は、上記課題を解決するためになされたものであり、ハンマー等によって打撃されたときに発生する音が低減されたくさびを提供することである。
【課題を解決するための手段】
【００１０】
本発明に係る樹脂くさびは、
第一の足場部材に固定された受け金具の内部に、第二の足場部材に固定された係止金具が嵌合している状態を、くさび効果によって保持する足場用の樹脂くさびであって、
基材樹脂に多数の繊維が分散している繊維含有樹脂組成物から形成されており、
上記係止金具内に圧入されたときに上記第一の足場部材を押圧する第一縁部と上記係止金具を受け金具に対して押圧する第二縁部とを有している。
【００１１】
上記繊維の長さは、強度及びコストの観点から、１ｃｍ以上１０ｃｍ以下の範囲であるのが好ましい。
【００１２】
上記繊維含有樹脂組成物の繊維の含有率は、強度の観点から１５質量％以上が好ましく、製造容易の観点から７０％以下であるのが好ましい。
【００１３】
上記係止金具が樹脂くさびのロック機構を有する場合等は、樹脂くさびの脱着容易の観点から、上記繊維含有樹脂組成物が粒子状潤滑剤を含んでいるのが好ましい。
【００１４】
上記繊維含有樹脂組成物の粒子状潤滑剤の含有率は、潤滑性の観点から１質量％以上が好ましく、強度の観点から２０質量％以下が好ましい。
【発明の効果】
【００１５】
本発明に係る樹脂くさびは、繊維含有樹脂組成物から形成されているので、ハンマーでたたかれても大きな音がしない。従って、この樹脂くさびは騒音解消に寄与しうる。
【図面の簡単な説明】
【００１６】
【図１】図１は本発明に係る樹脂くさびが適用されうる足場の緊結装置の組み立て前の状態を示す斜視図である。
【図２】図２は図１の緊結装置の緊結解除状態を示す一部切り欠き側面図である。
【図３】図３は図１の緊結装置の緊結状態を示す一部切り欠き側面図である。
【図４】図４は本発明に係る樹脂くさびの一実施形態を示す斜視図である。
【発明を実施するための形態】
【００１７】
以下、適宜図面が参照されつつ、実施形態に基づいて本発明が詳細に説明される。
【００１８】
図１に示された緊結装置１は、第一の足場部材である支柱２の所定高さの外周に溶接によって固定された受け金具３と、第二の足場部材である腕木材４の端部に溶接によって固定された係止金具５とを備えている。
【００１９】
受け金具３は、左右の側壁３ａ、３ｂと、これら側壁３ａ、３ｂをつなぐ中央壁板３ｃとから構成されている。この受け金具３は、平面視がコ字状を呈し、且つ、下方に向けて断面形状が縮小しているいわゆる下すぼまりの枠体である。具体的には、受け金具３の正面視が矩形を呈し、側面視が台形を呈している。受け金具３の開口部分が支柱２に固定されている。上記中央壁板３ｃは、その下方が支柱２に接近するように傾斜している。その結果、上記台形の側面は下底が上底よりも小さくなっている。
【００２０】
図２及び図３に示されるように、係止金具５は、受け金具３の内部形状にほぼ相似する外形状を呈したくさび案内部材６を有している。くさび案内部材６は腕木材４の端部の切り欠き部に嵌合した状態で溶接によって腕木材４に固定されている。このくさび案内部材６は受け金具３に上から嵌合しうるように構成されている。くさび案内部材６は平面視コ字状の枠体である。くさび案内部材６の本体は、互いに平行な左右の案内板６ａ、６ｂと、これら案内板６ａ、６ｂをつなぐ中央壁板６ｃとから構成されている。左右の案内板６ａ、６ｂ同士の間には、板状の樹脂くさび７（以下、単に「くさび」と称する）が上下移動可能に収容されうる。左右の案内板６ａ、６ｂ同士の間隔は、くさび７の厚さよりわずかに大きい。上記中央壁板６ｃは、このくさび案内部材６が受け金具３に嵌合したときに、受け金具３の中央壁板３ｃと面接触しうるように傾斜している。
【００２１】
くさび案内部材６の内部には、くさび７の落下防止及び位置決めのための、くさび脱出阻止バー８と板ばね９とが装着されている。板ばね９の下端には、くさび案内部材６を、受け金具３に嵌合された状態でロックするための抜け止めピン１０が設けられている。図２及び図３に示されるように、上記板ばね９の下部が、くさび案内部材６の中央壁板６ｃに形成された板ばね貫通孔１１を通してくさび案内部材６の外部から内部に挿入されている。
【００２２】
図４に示されているくさび７は、上記くさび案内部材６の内部に挿入されたときに、支柱２と平行になる第一縁部（前縁部）１５と、上記中央壁板６ｃ及び中央壁板３ｃと平行になる第二縁部（後縁部）１６とを有している。第一縁部１５と第二縁部１６とは鋭角をなしている。第一縁部１５には前切り欠き部１７が形成されている。前切り欠き部１７の底縁１７ａは第二縁部１６とほぼ平行にされている。この底縁１７ａには、くさび案内部材６の内部に突設された上記くさび脱出阻止バー８が当接している（図２、図３）。第二縁部１６には後切り欠き部１８が形成されている。後切り欠き部１８は浅い上部底縁１８ａと深い下部底縁１８ｂとを有している。これらの底縁１８ａ、１８ｂには上記板ばね９の下部が当接している。くさび７の上端にはハンマーで下方へ打撃するための打撃用突部１４が形成されている。
【００２３】
図２は、くさび案内部材６が受け金具３内に嵌合し、くさび７が未だ下方に打ち込まれていない緊結解除状態を示している。この緊結解除状態では、くさび脱出阻止バー８が前切り欠き部１７の下端に当接し、板ばね９の下端が後切り欠き部１８の下部底縁１８ｂに当接している。くさび７は、くさび脱出阻止バー８と板ばね９とによって挟持されることにより、落下が防止されている。このとき、くさび７の第一縁部１５は支柱２に押圧されていない。換言すれば、くさび７によるくさび効果は発生していない。板ばね９の下端の抜け止めピン１０は、受け金具３のピン係合孔１９には係止しておらず、くさび案内部材６のピン収納孔２０内に位置している。従って、くさび７はロックされていない。従って、緊結解除状態で、腕木材４に下から力が加われば、くさび案内部材６が受け金具３から上方へ脱出してしまう可能性がある。
【００２４】
図３は、くさび７が、その上端縁をハンマーで下方に打ち込まれて下方に移動した、緊結状態を示している。この緊結状態では、くさび脱出阻止バー８が前切り欠き部１７の上端に当接し、板ばね９の下端が後切り欠き部１８の上部底縁１８ａに当接している。この状態では、くさび７は支柱２に向けて移動している。また、くさび７の下部が、くさび案内部材６の下端及び受け金具３の下端から下方に突出している。くさび７の第一縁部１５は支柱２を押圧し、第二縁部１６はくさび案内部材６の中央壁板６ｃを受け金具３の中央壁板３ｃに押圧している。すなわち、くさび７によるくさび効果が生じている。板ばね９の下端は後切り欠き部１８の上部底縁１８ａによって外方へ押され、抜け止めピン１０が受け金具３のピン係合孔１９に係合する。従って、係止金具５は緊結位置でロックされている。
【００２５】
この緊結状態では、腕木材４に下から力が加わっても、くさび案内部材６は受け金具３から上方へ脱出しない。この緊結を解除するためには、くさび７の下端に上方に向けてハンマー等による打撃力が加えられる必要がある。この打撃力により、図２示されるように、くさび７がくさび案内部材６内を上方に移動するとともに、第一縁部１５が支柱２から離れる。この結果、くさび効果が解消する。板ばね９の下端は下部底縁１８ｂに移動するので、抜け止めピン１０がピン係合孔１９から脱出して受け金具３との係合が解かれる。この状態で、腕木材４が上方に押されると、くさび案内部材６が受け金具３から上方へ脱出する。以上のようにして、腕木材４と支柱２との連結が解除され、足場が分解可能となる。
【００２６】
上記くさび７は、ハンマー等の打撃によって発生する音を低減するために、繊維を含有する樹脂組成物（繊維強化樹脂）から形成されている。繊維強化樹脂は樹脂のマトリクス中に多数の繊維が分散したものである。
【００２７】
上記繊維としては無機繊維及び有機繊維が挙げられる。無機繊維としては、ガラス繊維、金属繊維及びカーボン繊維が挙げられる。有機繊維としては、ナイロン繊維、アラミド繊維、ポリエステル繊維及びポリエチレンナフタレート繊維が挙げられる。強度の観点及びコストの観点からガラス繊維が好ましい。強度の観点から繊維の長さは１ｃｍ以上が好ましく、２ｃｍ以上が特に好ましい。製造容易の観点からこの長さは１０ｃｍ以下が好ましく、７ｃｍ以下が特に好ましい。
【００２８】
上記樹脂組成物の基材樹脂としては、ポリエステル、ビニルエステル樹脂、エポキシ樹脂、ポリカーボネート及びＡＢＳ樹脂が例示される。選択された樹脂が熱可塑性樹脂である場合、くさび７は、加熱されて軟化した状態の当該樹脂が成形型に注入された後冷却固化させられる射出成形等により、形成される。選択された樹脂が熱硬化性樹脂である場合、くさび７は、流動性を有する当該樹脂が所定形状に成形された後加熱等によって硬化されることにより、形成される。成形の段階でくさびの形状にされてもよく、硬化後に機械加工等によってくさびの形状にされてもよい。強度の観点から、くさび７における繊維の含有率は１５質量％以上が好ましく、３０質量％以上が特に好ましい。製造容易の観点から、この含有率は７０質量％以下が好ましく、６０質量％以下が特に好ましい。
【００２９】
上記樹脂組成物は粒子状潤滑剤を含んでいるのが好ましい。なぜなら、くさび７が打ち込まれるときにはくさび７が支柱２及びくさび案内部材６と擦動するからである。くさび７が抜かれるときにもくさび７が支柱２及びくさび案内部材６と擦動するからである。粒子状潤滑剤を含むくさび７の、支柱２との摩擦係数は、小さい。粒子状潤滑剤の材質としては二硫化モリブデンが例示される。潤滑性の観点から、粒子状潤滑剤の含有率は１質量％以上が好ましく、２質量％以上が特に好ましい。強度の観点から、粒子状潤滑剤の含有率は２０質量％以下が好ましく、１５質量％以下が特に好ましい。
【００３０】
くさび７が、シリコーンを含有してもよい。このシリコーンによっても、くさび７の支柱２及びくさび案内部材６との摩擦係数が低減される。シリコーンは、樹脂組成物に練り込まれてもよいし、成形後のくさび７がシリコーンに漬されてシリコーンがくさび７に含浸させられてもよい。
【産業上の利用可能性】
【００３１】
以上説明された樹脂くさびは、ハンマー等によって打撃されるような使われ方に有用である。
【符号の説明】
【００３２】
１・・・緊結装置
２・・・支柱
３・・・受け金具
４・・・腕木材
５・・・係止金具
６・・・くさび案内部材
７・・・くさび
８・・・くさび脱出阻止バー
９・・・板ばね
１０・・・抜け止めピン
１１・・・板ばね貫通孔
１４・・・打撃用突部
１５・・・第一縁部
１６・・・第二縁部
１７・・・前切り欠き部
１８・・・後切り欠き部
１９・・・ピン係合孔
２０・・・ピン収納孔
【図１】
2011140769.tif 000003
【図２】
2011140769.tif 000004
【図３】
2011140769.tif 000005
【図４】
2011140769.tif 000006